(57)【要約】【課題】設備機器付き門柱に対して門扉の取り付け位置を変更可能にする。【解決手段】  少なくとも一方にホロー部を備えた左右の側柱２０、２０と、前記側柱２０、２０の正面を覆う正面パネル１０と、背面を覆う背面パネル２２とからなり、正面パネル１０に設備機器用開口、背面側に設備機器用扉を設けて内部に設備機器収納部を形成した門柱１であって、前記ホロー部を構成する外側壁の任意の位置に門扉用の肘壷５４を取り付けた。【選択図】        図１０
2007217889.tif 000002
【特許請求の範囲】
【請求項１】
少なくとも一方に収納空所を備えた左右の側柱と、前記側柱の正面を覆う正面パネルと、背面を覆う背面パネルとからなり、正面パネルと背面パネルの少なくとも一方に設備機器用扉を設けて内部に設備機器収納部を形成した門柱であって、前記収納空所を構成する外側壁に位置設定自在に門扉用のヒンジ部材を取り付けたことを特徴とする門柱。
【請求項２】
請求項１に記載された門柱において、
前記ヒンジ部材は肘壷を有し、かつ該肘壷を門柱の前後方向において前記収納空所を構成する側柱外側壁に位置変更自在に取り付けたことを特徴とする門柱。
【請求項３】
請求項１又は２のいずれかに記載された門柱において、
前記収納空所は、設備機器用配線を収容する部分と、前記肘壷を設ける部分とが前後に分割配置されていることを特徴とする門柱。
【請求項４】
請求項１ないし３のいずれかに記載された門柱において、
前記収納空所は、側柱のホロー部により又は側柱に取付けたカバー体により形成されることを特徴とする門柱。
【請求項５】
請求項１ないし４のいずれかに記載された門柱と、前記門柱に取り付けられた開閉自在な門扉とからなる門構造。
【発明の詳細な説明】
【技術分野】
【０００１】
本発明は門柱、とくに設備機器を備えた門柱であって、門扉用のヒンジ部材を門柱の正面側から背面側に向かう方向（門柱の前後方向という）における任意の位置に取り付け可能な門柱、及び当該門柱と門扉とからなる門構造に関する。
【背景技術】
【０００２】
郵便ボックスやインターホン等の設備機器を門柱に配置した設備機器付き門柱が知られている。
この門柱に対し門扉をつり込む際、門柱に対する門扉のつり込み位置は、門を設置する敷地の関係や好みに応じて、門柱の前後方向に位置変更できることが好ましいが、従来の設備機器付き門柱では、門扉のつり込み位置を門柱の前後方向に自由に設定できるものは知られていない。
【０００３】
例えば特許文献１に記載された門柱は、４本の支柱を矩形の各頂点の位置に配置し、それぞれにパネルを張り付けて内部に設備機器を収納する空間を設けた構造からなるものであるが、特定の１ヵ所の支柱のサイズを他より大きく形成して補強し、一本のビスでヒンジと正面パネルとを支柱に固定している。この設備機器付き門柱では、門扉を吊着するためのヒンジは、正面パネルを介して特定の支柱に固定しているから、門柱に対する扉の位置を任意に設定できないという問題がある。
また、仮に、門扉を吊着するためのヒンジの門柱に対する取付位置を自由に設定しようとすると、ヒンジを固定するボルトが門柱内に突出するため、その取付位置に例えば郵便ボックスなどのように手を挿入する設備機器を設けと、手を傷つけるなどのトラブルが発生する。
【特許文献１】特開平８−２３２５６７号公報
【発明の開示】
【発明が解決しようとする課題】
【０００４】
本発明は、従来の門柱の上記問題を解決すべくなされたものであって、その目的は、設備機器付き門柱に対して門扉の取り付け位置を門柱の前後方向において任意に設定できるようにすると共に、門扉のヒンジなどや配線などが門柱内で邪魔にならず手を傷つけたり或いは引っかかる等のトラブルが生じないようにすることである。
【課題を解決するための手段】
【０００５】
請求項１の発明は門柱であって、少なくとも一方に収納空所を備えた左右の側柱と、前記側柱の正面を覆う正面パネルと、背面を覆う背面パネルとからなり、正面パネルと背面パネルの少なくとも一方に設備機器用扉を設けて内部に設備機器収納部を形成した門柱であって、前記収納空所を構成する外側壁に位置設定自在に門扉用のヒンジ部材を取り付けたことを特徴とする。
【発明の効果】
【０００６】
本発明によれば、設備機器門柱と門扉を支持する門柱とを別体に設ける必要が無く、門柱に対して門扉の前後方向の取付位置を、門を設置する地形や建主の好みに応じて所定範囲内で自由に設定できる。また、ヒンジ部材が門柱内に露出することがないから、門柱内に手を入れても傷つく恐れはなく、従って、郵便ボックスなどの手を挿入する必要がある設備機器の設定位置をヒンジ部材の位置と無関係にどこにでも自由に設定できる。
【発明を実施するための最良の形態】
【０００７】
図１は、本発明の実施形態に係る門柱の分解斜視図である。  
門柱１は、それぞれ例えば押出成形されたアルミニウム合金でできた正面パネル１０と、正面パネル１０の両側に配置される左右の側柱２０、２０と、左右の側柱２０、２０に対して正面パネル１０の反対側（後側又は背面側）に配置される背面パネル２２（図４参照）とからなり、左右の側柱２０、２０の正面側に正面パネル１０が、また左右の側柱２０、２０の背面側両端部に背面パネル２２が連結される。また、これら左右の側柱２０、２０及び各パネルで囲まれた断面略矩形の内部空間には、敷板２６（２６（１）〜２６（３））が間隔を隔てて複数枚（図示例では３枚）取り付けられている。
【０００８】
正面パネル１０は平坦な正面１０ａと、正面１０ａの端部を略直角に折り曲げた折曲片１０ｂと、この折曲片１０ｂの自由端部を更に正面１０ａと平行に折り曲げた側柱２０，２０前面への取付片１０ｃとからなり、正面１０ａには上端から順に表札用の開口１２、インターホン用の開口１４、郵便物等の投入口１６が設けられている。
正面パネル１０は、例えば塗装やメッキ、アルマイト等により正面処理された化粧板に仕上げられている。
【０００９】
側柱２０、２０は、例えば、後述の図６に示すように、それぞれ前側に配置される第１の側柱２０（１）と後側に配置される第２の側柱２０（２）の二つの側柱から成り、両者はそのいずれか（図示例では第１の側柱２０（１）側）に一体に形成された細長い板状の接合部２０ｄを介してネジで接合されている。第１の側柱２０（１）は、正面側に正面パネル１０の左右の取付片１０ｃに対応するフランジ２０ａを、また背面側には第２の側柱２０（２）と接合するための接合部を有し、かつ好ましくは内側面２０（１）ａと外側面２０（１）ｂ、及びこれら両側面を区画する縦仕切片２０（１）ｃを一体に形成し、上下端の開放したホロー（中空）構造からなっている。第２の側柱２０（２）は、前方には第１の側柱２０（１）に係合する接合部を、また背面側には背面パネル２２の取付片となる端部を有した、好ましくは内側面２０（２）ａと外側面２０（２）ｂ、及び両側面を仕切る仕切片２０（２）ｃを、例えば押出成形により一体に形成したホロー構造からなっている。
正面パネル１０は、背面側の取付片１０ｃで側柱に２０、２０にネジ止めされるが、正面パネル１０側からは取り付けネジは見えないから見た目が良く意匠性に優れている。
【００１０】
再び図１において、正面パネル１０の表札用開口１２に対応して、左右の側柱２０、２０間には、この表札を照らす照明機具例えば電球用ソケットを備えた敷板２６（１）が取り付けられている。ここで、表札は例えばアクリル樹脂等の光透過性の合成樹脂材料で形成し、これを例えば両面テープやネジなどの適当な取付手段で、前記表札用開口１２の周りに取り付ける。表札は、夜間、ライトを点灯することで文字が浮かび上がって見える。
【００１１】
表札用開口１２の下側でかつ側柱２０、２０の正面側のフランジ部分２０ａ間には、図２に拡大して示すインターホン取付金具３０がネジ止めなどの適当な手段で取り付けられる。
【００１２】
インターホン取付金具３０は、図示のように、平坦なインターホン取付面３２ａとその上下端部に形成された断面Ｌ字型の取付片３２ｂ、及び下端部の前記取付片３２ｂの下端から折り返して前方にやや下降状に延在する水切り片３２ｃとからなっており、インターホン取付面３２ａにはインターホンの放熱等のための開口３４が形成されている。
なお、水切り片３２ｃはインターホン取付金具３０と別体に形成してもよい。
【００１３】
このインターホン取付金具３０の前記取付片３２ｂの前後方向の長さ又は厚さは、取り付けるインターホン３５の厚さが種類によって異なるため、その厚さに応じて異なる寸法のものを用意しておくことが好ましい。
また、前記水切り片３２ｃは、インターホンの操作用開口１４から侵入する雨水などを一旦受け止めて、これを正面パネル１０の背面と側柱２０、２０の前端部つまりフランジ部分２０ａ間に形成される間隙Ｓ（図３Ａ、Ｂ参照）、即ち、正面パネル１０を側柱２０，２０前端部間に取り付けたときに、正面パネル１０の折曲片１０ｂの前後方向の長さに略等しい間隔を有し門柱の上下方向に連続して形成される間隙Ｓの前面側に導くためのものであって、これにより、雨水等が門柱の側柱２０、２０間に形成される空間に侵入することが防止される。
【００１４】
図３Ａは、インターホン取付金具３０を側柱２０、２０のフランジ部分２０ａにネジ止め等の適当な手段で取り付け、この取付金具３０にインターホン３５を取り付けた状態を示す縦断面図である。また、図３Ｂは、同横断面図である。
図示のように、インターホン３５の正面はインターホン用開口１４に対向配置される。また、その配線（図示せず）は側柱２０，２０のホロー部Ｈに配置したＣＤ管２５（図３Ｂ）を通して行う。
【００１５】
図４は、本実施形態に係る門柱１の一方の側柱２０を除去して門柱１の内部をやや背面側上方から見た斜視図である。
背面パネル２２は、図示のように、正面パネル１０と同様に細長い板状体で構成されている。ただこの実施形態では、門柱１の上からインターホン取付領域の背面側部分までを覆うように、その縦方向の長さは正面パネル１０よりも短く形成されている。
正面パネル１０の前記郵便物等の投入口１６の内側に設けた郵便物等の収容部（郵便ボックス）の背面側には、つまみ２４ａ付きの受扉２３ａが一方の側柱２０、２０の後端部に開閉自在に取り付けられている。また、その下側には、門柱１内に設置するコンセントなどの電源ユニット等（図示せず）の点検等を行うため、同様に一側端を一方の側柱２０、２０の後端部にヒンジ止めしたつまみ２４ｂ付き扉２３ｂが開閉自在に取り付けられている。
【００１６】
郵便物等の投入口１６は、例えばＡ４の封筒が投入可能な縦寸法と、投入された郵便物等が投入口１６を通して引き出されないように、人間の手が入らないような幅を持った細長い開口として形成されている。
図中、上側の敷板２６（２）と下側の敷板２６（３）との間の空間は、郵便物等を収納しておくいわゆる郵便ボックスを構成している。この郵便ボックスの底板となる敷板２６（３）は、その投入口１６側の端部が上方に折り返した起立片２６ａ（１）に形成され、かつその起立片２６ａ（１）の上端は前記投入口１６の下端部近傍に達すると共に、その起立片２６ａ（１）の上端から更に斜め下方に折り返した水切り板２６ａ（２）が一体（又は別体でもよい）に形成されている。
【００１７】
ここで、水切り板２６ａ（２）は、前記インターホン取付金具３０の水切り片３２ｃと同様に前記投入口１６を通して侵入する雨水や、上部のインターホン用の開口１４から侵入して落下してきた雨水等を受けて正面パネル１０側に流下させ、正面パネル１０との隙間や水切り板２６ａ（２）の両側端と正面パネル１０の側面（折曲片）１０ｂとの間から地面に落下させるよう働く。また、後述するように、一対の断面Ｌ字状の隔壁を図５Ａ、５Ｂに示すように設ける等して、投入口から郵便ボックスまでの郵便物通過空間を間隙Ｓから隔離することで一層水が浸入し難くすることができる。
従って、前記投入口１６等から門柱１内に水が侵入しても前記郵便ボックス内には流入し難い。
なお、門柱１の前記郵便ボックスの下側には、図示しない例えば電源ユニット、電気或いはガスメータ等を収納するための空間が形成されている。
【００１８】
図５Ａは門柱の要部の縦断面図及び図５Ｂは図５Ａの線Ａ−Ａに沿った断面図である。これらの図から明らかなように、郵便物等の投入口１６から郵便ボックスに至る郵便物通過空間は、上部に上板（ここでは水切り片３２Ｃが上板を兼ねているが、別途設けることも可能である）、左右に一対の断面Ｌ字状の隔壁を構成する縦板３６を水切り板２６ａ（２）の両側に密着して又は密着せずに設けることで前記空隙Ｓから隔離されるが、他方、前記投入口１６から侵入した水は、水切り板２６ａ（２）により前記空隙Ｓへ排水できるようになっている。
また、本実施形態に係る設備機器付き門柱１は、その背面側に取り付けた受扉２３ａ、２３ｂの上端部からの雨水等の水の侵入を防止するための水密構造を備えている。
図５Ｃは、図５Ａの領域Ｔ部分の拡大図である。図示のように受扉２３ａの上端部には、その幅方向にシール（エアタイト）材ＡＴが背面パネル２２の下端の幅方向に延びたチャンネル２２ｃに取り付けられており、シール材ＡＴの下端は受扉２３ａの上端部を封止して水の侵入を防止している。
【００１９】
次に、門柱１の組立手順について説明する。
図６は、敷板（ここでは最上部の敷板２６（１））の取付を説明するための斜視図である。
まず、側柱２０、２０間（一方のみを示す）に敷板２６（１）を取り付け、左右の側柱２０、２０を敷板２６（１）により連結する。
このように連結した側柱２０、２０は、自立性があるので、これを予め基礎工事を行った地盤の上に立設し、回りから例えばコンクリートや土砂を流し込み下部を地中に埋設する。
【００２０】
ここで、敷板２６（１）を側柱２０、２０に取り付けるには、図６に示すように、側柱２０、２０に前以ってボルトＢ１を仮固定しておき、そのボルトＢ１の軸部分を敷板の切欠部分２６ａに入れ込み、レンチで固定して連結する。他の敷板２６（２）、２６（３）についても同様に取り付ける。
続いて、最上部の敷板２６（１）に設けたソケットに電球などの照明器具を取り付け、側柱２０、２０の前記フランジ２０ａにインターホンの取付金具３０を介してインターホン３５を取り付け、これらに必要な電気配線工事を行う。電気配線は、既に図３Ｂに関連して説明したように側柱２０、２０のホロー部Ｈ内に配置したＣＤ管２５を用いて行う。
【００２１】
図７は正面パネルと側柱との取り付け構造を説明する図であり、図７Ａは正面パネル側の取り付け構造を、また、図７Ｂは側柱側の取り付け構造を示す斜視図である。
図７Ａに示すように、正面パネル１０の前記取付片１０ｃには、縦長の直線溝Ｇ１の下端にこの溝Ｇ１よりも径大な円形溝Ｇ２を備えた溝Ｇが形成されており、他方、側柱２０、２０の前記フランジ部分２０ａには、図７Ｂに示すように、例えばボルトＢ２を浅く螺合させてある（なお、ボルトＢ２に代えて頭付き支持杆を植設したものでもよい）。
【００２２】
ここで、正面パネル１０を持ち上げて、その溝Ｇの前記円形溝Ｇ２を側柱２０、２０のフランジ部２０ａに取り付けたボルトＢ２の頭に合わせて挿入する。挿入後に正面パネル１０を下降させると、ボルトＢ２の軸部分が前記縦長の直線溝Ｇ１を摺動し、その直線溝Ｇ１の上端に当たって停止する。この状態で正面パネル１０と側柱２０、２０が接続される。
その後、側柱２０、２０の前記フランジ部２０ａ背面側から正面パネル１０の取付片１０ｃの背面に対して適宜ネジ止めすることで、正面パネル１０と側柱２０、２０とが連結固定される。
【００２３】
次に、このように連結された側柱２０、２０の背面側端部に横材４０を取り付けて側柱２０、２０同士の接続を補強する。即ち、図８Ａは、側柱２０、２０の後端部への横材４０の取り付けを説明する斜視図であり、図８Ｂは、背面パネル及び受扉の取り付けを示す斜視図である。
図８Ａに示すように、横材４０は、両側柱２０、２０の後端部から後部側に突出しないようにして前記後端部間を連結する。
続いて、図８Ｂに示すように、両側柱２０、２０の背面側端部間に背面パネル２２を取り付ける。この背面パネル２２は、門柱１の上端からインターホン収容部までの区域を覆うように形成されており、正面パネル１０よりも縦方向の長さが短く形成されている。
【００２４】
この背面パネル２２の下側には、前記郵便ボックスに対応して、その背面扉となる受扉２３ａ及びその下側に電源ユニット等の下部収容部の扉（図示せず）をそれぞれ一方の側柱２０の背面側端部に開閉可能に取り付け、さらにこのように組み立てた門柱上にキャップ（図示せず）を取り付けて組立を終了する。
【００２５】
本実施形態においては、正面パネル１０は、以上のように側柱２０、２０のフランジ部２０ａに溝Ｇ及びボルトＧ２を係合させて取り付けられるため、例えば、門柱１に収容した設備機器の保守、補修或いは取り替えなどのために正面パネル１０を外す場合は、正面パネル１０と側柱２０、２０とのネジ係合を外したのち、正面パネル１０を単に持ち上げるだけで簡単に外すことが出来る。また、正面パネル１０の正面は、突出部がないため見栄えがよく、かつ正面開口から浸入した雨水等が門扉内部領域にまで浸入することがなく、内部機器や郵便ボックス内の書類等を濡らすおそれがない。
【００２６】
次に、以上のように組み立てられた門柱に対する門扉の取り付けについて説明する。
図９は前記門柱に門扉を取り付けた門構造の正面図であり、図１０はその横断面図である。
２枚の門扉２は、それぞれ設備機器付き門柱１及び支柱３に開閉自在にヒンジ止めされている。設備機器付き門柱１に対しては、一方の門扉２が上下一対のヒンジ部材５０で開閉自在に取り付けられている。このヒンジ部材５０は、図１０に示すように、肘金５２と肘壷５４から形成されている。ここで、肘壷５４は、門扉側の側柱２０の外側面２０（２）ｂ（外側面２０（１）ｂであってもよい）にボルト５６でネジ止めして固定される。
ここで、ボルト５６は、例えば、肘壷５４と第２の側柱２０（２）の門扉側の外側面２０（２）ｂの任意の位置に穿設した取り付け孔を通して挿入されたいわゆる回転ナットにより側柱２０（２）のホロー部Ｈ内、即ち外側面２０（２）ｂに固定される。
従って、ボルト５６は、外側面２０（２）ｂの孔の位置に応じて、第２の側柱２０（２）の幅の範囲で前後方向において任意の位置に設置可能である。
【００２７】
側柱２０，２０のホロー部Ｈは、配線を収容する部分と、前記ヒンジを設ける部分とが前後に分割配置されている。即ち、図１０に示すように、第１の側柱２０（１）及び第２の側柱２０（２）の内側面２０（１）ａ、２０（２）ａと外側面２０（１）ｂ、２０（２）ｂ間に形成されたそれぞれの空間つまりホロー部Ｈのうち、門柱１０の前側の側柱２０（１）のホロー部Ｈには電気配線を収容した門柱の縦方向に延びるＣＤ管２５を複数本配置している。このように電気配線はＣＤ管２５中に配置されるため、破断などから保護されるだけではなく、例えばＣＤ管を合成樹脂などの絶縁性材料で形成することで漏電する虞がない。また、ＣＤ管を通すことで新設や修理用の電気工事を行う場合にも、電線の引き込み工事がしやすく取り扱いが容易である。
また、後方の側柱２０（２）のホロー部Ｈには門柱つり込み用の肘壷５４取り付け用のボルト５６が、門扉２を前記門柱１に対して、前記ホロー部の範囲内において自由に位置設定できるため、門扉を門柱の前後方向の任意の位置に設置することができる。
なお、ＣＤ管２５及び前記ボルト５６を収容する前方及び後方の側柱のそれぞれのホロー部Ｈを上述のものと逆にしてもよい。
また、ＣＤ管２５と前記ボルト５６を別のホロー部に配置したことにより、ＣＤ管２５と前記ボルト５６が干渉することがなく、ＣＤ管が傷ついたりボルト５６が通し難くなることもない。
【００２８】
また、他方の門扉２のヒンジ部材５０の肘壷５４は、支柱３の溝に抜け止め規制された止め板に対してネジ止めされている。他方の門扉２の前後方向の位置設定は、支柱３の設置位置を、前記門柱側の肘壷５４の位置に合わせて設定し、取り付けた肘壷５４により微調整することで両門扉が閉位置で整合するようにする。
【００２９】
本実施形態によれば、ボルト５６の一端を側柱のホロー部内に収納したことにより、門柱１の内側の設備機器収納部からはボルトなどが突出せず、従って門柱１内に手を入れても怪我をすることがなく、引っかかることもない。そのため、物置や郵便ボックスなどをヒンジ部材と同じ高さのところに設置することができる。また、門扉の取付位置の奥行き制限がなくなったことにより、門扉を第１の側柱２０（１）又は第２の側柱２０（２）の前後方向の任意の位置に設置することができる。
また、通常、門柱や支柱を地面に設置するときには、施工誤差が発生するが、ヒンジ部材として肘金及び肘壷を用いることで微調整可能となり、誤差を吸収して門扉を正常位置に吊り込むことができる。
なお、以上の実施形態では、側柱の中空部は左右両方の側柱に設けたものを例に挙げたが、必ずしもこれに限定されず門扉を取り付ける側のみ中空に形成してもよい。また、門扉が２つのものを例に採って説明したが、門扉の数はこれに限定されず、どちらか一方は子扉であってもよい。
【００３０】
また、側柱をホロー構造とする代わりに板状の側柱の内側に必要な収納空間を提供できるようアルミニウム合金や合成樹脂製のカバー体を適当な取り付け手段で側柱内側に取り付け、このカバー体と板状側柱との間に前記回転ナットを配置できる空隙を設けるようにする、つまり、側柱をホロー構造でない中実に構成し、これにカバー体を取り付けて収容空部を形成しても、ホロー構造の側柱と同様の作用効果を奏することができる。
【図面の簡単な説明】
【００３１】
【図１】本発明の実施形態に係る門柱の分解斜視図である。
【図２】インターホン取付金具の斜視図である。
【図３】インターホンを側柱に取り付けた状態を示し、図３Ａは、インターホン取付金具にインターホンを取付けた状態を示す縦断面図、また、図３Ｂは、同横断面図である。
【図４】門柱の一方の側柱を除去して門柱の内部をやや背面側から見た斜視図である。
【図５】５Ａは、門柱の要部の縦断面図であり、５Ｂは、図５Ａの線Ａ−Ａに沿った断面図、図５Ｃは受扉の防水構造を示す図５Ａの一部拡大図である。
【図６】側柱と敷板との連結部分を拡大した斜視図である。
【図７】正面パネルと側柱との取り付け構造を説明する図であり、図７Ａは正面パネル側の取り付け構造を、また、図７Ｂは側柱側の取り付け構造を示す斜視図である。
【図８】図８Ａは側柱の後端部への横材の取り付けを説明する斜視図であり、図８Ｂは、背面パネル及び受扉の取り付けを示す斜視図である。
【図９】門構造の正面図である。
【図１０】門構造の横断面図である。
【符号の説明】
【００３２】
１・・・門柱、１０・・・正面パネル、１２・・・表札用開口、１４・・・インターホン用有開口、１６・・・郵便物等の投入口、２０・・・側柱、２０（１）・・・第１の側柱、２０（２）・・・第２の側柱、２２・・・背面パネル、２６・・・敷板、３０・・・インターホン取付金具、３５・・・インターホン、３６・・・縦板、４０・・・横材、５０・・・ヒンジ部材、５２・・・肘金、５４・・・肘壷、５６・・・ボルト。
【図１】
2007217889.tif 000003
【図２】
2007217889.tif 000004
【図３】
2007217889.tif 000005
【図４】
2007217889.tif 000006
【図５】
2007217889.tif 000007
【図６】
2007217889.tif 000008
【図７】
2007217889.tif 000009
【図８】
2007217889.tif 000010
【図９】
2007217889.tif 000011
【図１０】
2007217889.tif 000012